(57)【特許請求の範囲】
【請求項１】
便座が洋風便器本体上で開閉可能に設けられた洋風水洗式便器に設けられる便器洗浄装置であって、該洋風便器本体に少量又は大量の洗浄水を供給可能な洗浄水供給機構と、該洋風便器本体上から該便座が上げられていることにより、使用者がその状態の該洋風便器本体前に存在するか否かを検知する人体検知手段と、前記洋風便器本体上から前記便座が上げられているか否かを検知する便座開閉検知手段と、該人体検知手段の検知信号及び該便座開閉検知手段の検知信号により該洗浄水供給機構を制御する制御手段とを備えた便器洗浄装置において、
便座上に使用者が着座しているか否かを検知する着座検知手段を備え、
制御手段は、便座開閉検知手段により洋風便器本体上から該便座が上げられていることが検知された状態で人体検知手段により該使用者が一定時間以上該洋風便器本体前に存在したことが検知され、その後に該着座検知手段により該使用者が一定時間以上該便座上に着座したことが検知され、さらにその後に該着座検知手段により該使用者が該便座から離座したことが検知されることにより、洗浄水供給機構により該洋風便器本体に少量又は大量の洗浄水を供給するように構成されていることを特徴とする便器洗浄装置。
【請求項２】
制御手段は、便座開閉検知手段により洋風便器本体上から便座が上げられていることが検知された状態で人体検知手段により使用者が一定時間以上該洋風便器本体前に存在したことが検知されれば、その後に該人体検知手段により該使用者が該洋風便器本体前に存在しないことが検知されることにより、該洗浄水供給機構により該洋風便器本体に少量の洗浄水を供給するように構成されていることを特徴とする請求項１記載の便器洗浄装置。
【請求項３】
洋風便器本体に洗浄水を供給可能な洗浄スイッチを有し、該洗浄スイッチの入力により制御手段を介して洗浄水供給機構を遠隔操作可能なリモコンを備え、
該制御手段は、該洗浄スイッチの入力による該リモコンの便器洗浄信号を受信すれば、該便器洗浄信号を優先して該洗浄水供給機構により該洋風便器本体に少量又は大量の洗浄水を供給するように構成されていることを特徴とする請求項１又は２記載の便器洗浄装置。
【請求項４】
便座上に着座した使用者の局部に洗浄水又は温風を供給可能な局部洗浄機構と、該局部洗浄機構を作動させるための局部洗浄機構使用スイッチを有し、該局部洗浄機構使用スイッチの入力により制御手段を介して該局部洗浄機構を遠隔操作可能なリモコンとを備え、
該制御手段は、該局部洗浄機構使用スイッチの入力による該リモコンの局部洗浄機構使用信号を受信すれば、該局部洗浄機構を作動させるように構成されていることを特徴とする請求項３記載の便器洗浄装置。
【請求項５】
便座を洋風便器本体上で電動により開閉させ得る便座開閉機構と、該洋風便器本体上で該便座を開閉する便座開閉スイッチを有し、該便座開閉スイッチの入力により制御手段を介して該便座開閉機構を遠隔操作可能なリモコンとを備え、
該制御手段は、該便座開閉スイッチの入力による該リモコンの便座開閉信号を受信すれば、該便座開閉機構を作動させるように構成されていることを特徴とする請求項３又は４記載の便器洗浄装置。
【請求項６】
便蓋を便座上で電動により開閉させ得る便蓋開閉機構を備え、
制御手段は、人体検知手段により使用者が洋風便器本体前に存在することが検知されれば、該便蓋開閉機構により該便座上から該便蓋を上げるように構成されていることを特徴とする請求項５記載の便器洗浄装置。
【発明の詳細な説明】
【０００１】
【発明の属する技術分野】
本発明は、便座が洋風便器本体上で開閉可能に設けられた洋風水洗式便器に設けられる便器洗浄装置に関する。この便器洗浄装置は、洋風便器本体等と一体にされた洋風水洗式便器として、また洋風便器本体等に後付けした洋風水洗式便器として好適である。
【０００２】
【従来の技術】
従来、図７及び図８に示すように、陶磁器製の洋風便器本体９０に便器洗浄装置９１を一体にした洋風水洗式便器が知られている。この洋風水洗式便器では、便座９２が洋風便器本体９０上で開閉可能に設けられており、便座９２上には便蓋９３も開閉可能に設けられている。これら便座９２及び便蓋９３は洋風便器本体９０に固定された便器洗浄装置９１に設けられている。
【０００３】
この便器洗浄装置９１では、ケース９１ａ内に図示しない水道管と接続された洗浄水供給機構としての洗浄タンク、洗浄水供給弁等が設けられているとともに、制御手段としてのコントローラが設けられている。また、ケース９１ａの上端には第１人体検知手段としての第１人体検知センサ９１ｂが設けられ、ケース９１ａの下端には洋風便器本体９０上から便蓋９３及び便座９２が上げられていることにより剥き出しとなる第２人体検知手段としての第２人体検知センサ９１ｃが設けられている。
【０００４】
また、この便器洗浄装置９１では、便座９２に使用者が着座しているか否かを検知する着座センサが設けられている。また、ケース９１ａ内には、便蓋９３を便座９２上で電動により開閉させ得る便蓋開閉機構と、便座９２を洋風便器本体９０上で電動により開閉させ得る便座開閉機構と、便座９２上に着座した使用者の局部に洗浄水や温風を供給可能な局部洗浄機構とが設けられている。さらに、ケース９１ａ外にはコントローラを遠隔操作可能なコードレスのリモコン９４が設けられている。リモコン９４は、洋風便器本体９０に洗浄水を供給可能な洗浄スイッチと、局部洗浄機構を作動させるための局部洗浄機構使用スイッチと、洋風便器本体９０上で便座９２を開閉する便座開閉スイッチとを有している。
【０００５】
第１人体検知センサ９１ｂ、第２人体検知センサ９１ｃ及び着座センサはコントローラに接続され、コントローラは洗浄水供給弁、局部洗浄機構、便座開閉機構及び便蓋開閉機構に接続されている。また、洗浄スイッチの入力によるリモコン９４の便器洗浄信号と、局部洗浄機構使用スイッチの入力によるリモコン９４の局部洗浄機構使用信号と、便座開閉スイッチの入力によるリモコン９４の便座開閉信号とは、第１人体検知センサ９１ｂと同位置に設けられたコントローラの受信部に受信されるようになっている。
【０００６】
この洋風水洗式便器では、図７に示す状態において、用を足そうとする使用者が前に立つことにより、第１人体検知センサ９１ｂがその使用者を検知し、便蓋開閉機構により便蓋９３が自動的に便座９２から上げられる。
【０００７】
その使用者が男性であり、立ったまま小用する場合、その使用者はリモコン９４の便座開閉スイッチを入力する。これによりリモコン９４は便座開閉信号をコントローラに送信し、図８に示すように、コントローラは便座開閉機構を作動させることにより便座９２を自動的に洋風便器本体９０から上げる。こうして、使用者は腰を屈める必要なく、小用を行うことができる。
【０００８】
この際、図９に示すように、コントローラは、ステップＳ８１において、便蓋９３及び便座９２が上がっていることにより剥き出しとなった第２人体検知センサ９１ｃにより、その使用者がその状態の洋風便器本体９０前に存在するか否かを検知する。また、ステップＳ８２において、リモコン９４からの各信号を受信し続ける。
【０００９】
そして、ステップＳ８３において、第２人体検知センサ９１ｃによる検知時間がＡ以上であるか否かが判断される。検知時間がＡ以上である場合には、男性が小用したと考えられるため、ステップＳ８４において、リモコン９４からの便器小洗浄信号の入力がないことを条件とし、ステップＳ８５において、第１人体検知センサ９１ｂにより使用者が洋風便器本体９０前に存在しないことが検知された後、ステップＳ８６で便器小洗浄モードを実行する。こうして、洗浄水供給弁により洋風便器本体９０に少量の洗浄水が自動的に供給される。この後、メインルーチンにリターンする。
【００１０】
一方、ステップＳ８３において、検知時間がＡ未満である場合には、男性が小用もしていないと考えられるため、ステップＳ８７において、第１人体検知センサ９１ｂにより使用者が洋風便器本体９０前に存在しないことが検知された後、メインルーチンにリターンする。
【００１１】
また、ステップＳ８４において、リモコン９４からの便器小洗浄信号の入力があれば、ステップＳ８６に進み、便器小洗浄信号を優先し、便器小洗浄モードを実行する。
【００１２】
そして、その使用者がリモコン９４の便座開閉スイッチを再度入力すれば、コントローラは便座開閉機構を作動させることにより便座９２を自動的に洋風便器本体９０上に降ろす。手動により便座９２を洋風便器本体９０上に降ろすことも可能である。この後、使用者が洋風水洗式便器の前から去れば、第１人体検知センサ９１ｂがその使用者を検知しなくなり、便蓋開閉機構により便蓋９３が自動的に便座９２上に降ろされる。手動により便蓋９３を便座９２上に降ろすことも可能である。
【００１３】
なお、その使用者は、リモコン９４の便座開閉スイッチを入力することなく、便座９２上に着座して用を足すこともできる。また、使用者が便座９２上に着座し、リモコン９４等により、局部洗浄機構を使用することもできる。これらの場合、着座センサにより使用者が一定時間以上便座９２上に着座したことが検知され、さらにその後に着座センサにより使用者が便座９２から離座したことが検知されれば、洗浄水供給弁により洋風便器本体９０に少量又は大量の洗浄水が供給される。そして、使用者が洋風水洗式便器の前から去れば、第１人体検知センサ９１ｂがその使用者を検知しなくなり、便蓋開閉機構により便蓋９３が自動的に便座９２上に降ろされる。手動により便蓋９３を便座９２上に降ろすことも可能である。
【００１４】
【発明が解決しようとする課題】
しかし、上記従来の便器洗浄装置９１では、図８に示すように、洋風便器本体９０から便蓋９３及び便座９２が上がった状態において、男性が立ったまま小用した後、リモコン９４の洗浄スイッチを入力することなく、リモコン９４の便座開閉スイッチを再度入力して便座９２を自動的に洋風便器本体９０上に降ろしてしまったり、手動により便座９２を洋風便器本体９０上に降ろしてしまったりしてしまうことがある。併せて、手動により便蓋９３を便座９２上に降ろしてしまうこともある。
【００１５】
これらの場合、その便器洗浄装置９１では、第２人体検知センサ９１ｃが少なくとも便座９２に隠蔽されてしまうことから、第２人体検知センサ９１ｃによるその使用者の検知が中断され、コントローラがリセットされてしまう。このため、それらの場合、小用後の洋風便器本体９０であるにもかかわらず、便器小洗浄モードが実行されず、洗浄忘れを生じてしまうこととなる。
【００１６】
本発明は、上記従来の実情に鑑みてなされたものであって、男性が立ったまま小用した後、少なくとも便座を洋風便器本体上に降ろしてしまったとしても、洋風便器本体の洗浄忘れを防止可能な便器洗浄装置を提供することを解決すべき課題としている。
【００１７】
【課題を解決するための手段】
本発明の便器洗浄装置は、
便座が洋風便器本体上で開閉可能に設けられた洋風水洗式便器に設けられる便器洗浄装置であって、該洋風便器本体に少量又は大量の洗浄水を供給可能な洗浄水供給機構と、該洋風便器本体上から該便座が上げられていることにより、使用者がその状態の該洋風便器本体前に存在するか否かを検知する人体検知手段と、前記洋風便器本体上から前記便座が上げられているか否かを検知する便座開閉検知手段と、該人体検知手段の検知信号及び該便座開閉検知手段の検知信号により該洗浄水供給機構を制御する制御手段とを備えた便器洗浄装置において、
【００１８】
便座上に使用者が着座しているか否かを検知する着座検知手段を備え、
制御手段は、便座開閉検知手段により洋風便器本体上から該便座が上げられていることが検知された状態で人体検知手段により該使用者が一定時間以上該洋風便器本体前に存在したことが検知され、その後に該着座検知手段により該使用者が一定時間以上該便座上に着座したことが検知され、さらにその後に該着座検知手段により該使用者が該便座から離座したことが検知されることにより、洗浄水供給機構により該洋風便器本体に少量又は大量の洗浄水を供給するように構成されていることを特徴とする。
【００１９】
本発明の便器洗浄装置では、便座開閉検知手段が洋風便器本体上から便座が上げられているか否かを検知する。そして、制御手段は、その便座開閉検知手段の検知信号によっても洗浄水供給機構を制御する。
【００２０】
このため、この便器洗浄装置では、洋風便器本体から便座が上がった状態において、男性が立ったまま小用した後、リモコンの洗浄スイッチ等の入力を行うことなく、便座を洋風便器本体上に降ろしてしまったとしても、洗浄水供給機構により洋風便器本体に少量の洗浄水を供給することが可能である。
【００２１】
したがって、本発明の便器洗浄装置では、男性が立ったまま小用した後、少なくとも便座を洋風便器本体上に降ろしてしまったとしても、洋風便器本体の洗浄忘れを防止することができる。
【００２２】
便座開閉検知手段としては、（１）便座を洋風便器本体上で電動により開閉させるモータ、ギア等からなる便座開閉機構に組み込む光センサやリミットスイッチ、（２）電動又は手動の便座開閉機構に組み込む光センサ等からなるロータリエンコーダ、（３）便座を光により検知する光センサ等を採用することができる。
【００２３】
本発明の便器洗浄装置において、制御手段は、便座開閉検知手段により洋風便器本体上から便座が上げられていることが検知された状態で人体検知手段により使用者が一定時間以上洋風便器本体前に存在したことが検知されれば、その後に人体検知手段により使用者が洋風便器本体前に存在しないことが検知されることにより、洗浄水供給機構により洋風便器本体に少量の洗浄水を供給するように構成されていることが好ましい。これにより、男性が小用したと考えられ、その男性の退室時、洋風便器本体の洗浄が自動的に行われる。
【００２４】
本発明の便器洗浄装置においては、便座上に使用者が着座しているか否かを検知する着座検知手段を備える。かかる着座検知手段としては、（１）便座上に着座した使用者をコンデンサとして利用する静電容量型センサ、（２）便座上に着座した使用者の体重から起電力を得る圧電素子型センサ、（３）便座上に着座した使用者を光により検知する光センサ等、公知のものを採用することができる。
【００２５】
この場合、制御手段は、便座開閉検知手段により洋風便器本体上から便座が上げられていることが検知された状態で人体検知手段により使用者が一定時間以上洋風便器本体前に存在したことが検知され、その後に着座検知手段により該使用者が一定時間以上便座上に着座したことが検知され、さらにその後に着座検知手段により使用者が便座から離座したことが検知されることにより、洗浄水供給機構により洋風便器本体に少量又は大量の洗浄水を供給するように構成されている。男性が立ったまま小用した後又は男性が小用しようと思ってしばらく洋風便器本体の前に立った後、大用したくなったような場合、その男性は、便座を洋風便器本体上に降ろし、その便座上に着座する必要がある。こうして、便座に着座した男性が結局小用だけをしたり、大用もしたりした場合、その男性の退室時、洋風便器本体の洗浄が自動的に行われる。
【００２６】
また、本発明の便器洗浄装置においては、洋風便器本体に洗浄水を供給可能な洗浄スイッチを有し、この洗浄スイッチの入力により制御手段を介して洗浄水供給機構を遠隔操作可能なリモコンを備えることが好ましい。この場合、制御手段は、洗浄スイッチの入力によるリモコンの便器洗浄信号を受信すれば、便器洗浄信号を優先し、洗浄水供給機構により洋風便器本体に少量又は大量の洗浄水を供給するように構成されていることが好ましい。使用者が自らの意思で洋風便器本体の洗浄を行いたい場合もあるからである。
【００２７】
洗浄スイッチとしては、洋風便器本体に少量の洗浄水を供給可能な小洗浄スイッチと、洋風便器本体に大量の洗浄水を供給可能な大洗浄スイッチとを採用することが好ましい。この場合、制御手段は、小洗浄スイッチの入力によるリモコンの便器小洗浄信号を受信すれば、便器小洗浄信号を優先し、洗浄水供給機構により洋風便器本体に少量の洗浄水を供給するように構成されていることが好ましい。また、制御手段は、大洗浄スイッチの入力によるリモコンの便器大洗浄信号を受信すれば、便器大洗浄信号を優先し、洗浄水供給機構により洋風便器本体に大量の洗浄水を供給するように構成されていることが好ましい。使用者が自らの意思で洋風便器本体の洗浄を選択したい場合もあるからである。
【００２８】
本発明の便器洗浄装置においては、便座上に着座した使用者の局部に洗浄水又は温風を供給可能な局部洗浄機構を備えることが好ましい。また、この局部洗浄機構を作動させるための局部洗浄機構使用スイッチを有し、局部洗浄機構使用スイッチの入力により制御手段を介して局部洗浄機構を遠隔操作可能なリモコンを備えることが好ましい。これらの場合、制御手段は、局部洗浄機構使用スイッチの入力によるリモコンの局部洗浄機構使用信号を受信すれば、局部洗浄機構を作動させるように構成され得る。
【００２９】
また、本発明の便器洗浄装置においては、便座を洋風便器本体上で電動により開閉させ得る便座開閉機構を備えることが好ましい。また、洋風便器本体上で便座を開閉する便座開閉スイッチを有し、便座開閉スイッチの入力により制御手段を介して便座開閉機構を遠隔操作可能なリモコンを備えることが好ましい。これらの場合、制御手段は、便座開閉スイッチの入力によるリモコンの便座開閉信号を受信すれば、便座開閉機構を作動させるように構成され得る。
【００３０】
さらに、本発明の便器洗浄装置においては、便蓋を便座上で電動により開閉させ得る便蓋開閉機構を備えることが好ましい。この場合、制御手段は、人体検知手段により使用者が洋風便器本体前に存在することが検知されれば、便蓋開閉機構により便座上から便蓋を上げるように構成され得る。
【００３１】
【発明の実施の形態】
以下、本発明を具体化した実施形態の便器洗浄装置を図面を参照しつつ説明する。
【００３２】
図１に示すように、実施形態の便器洗浄装置１は、従来と同様の陶磁器製の洋風便器本体９０と一体化されて洋風水洗式便器を構成している。この洋風水洗式便器では、便座２が洋風便器本体９０上で開閉可能に設けられており、便座２上には便蓋３も開閉可能に設けられている。これら便座２及び便蓋３は便器洗浄装置１に設けられている。
【００３３】
この便器洗浄装置１では、図２に示すように、ケース１ａ内に図示しない水道管と接続された洗浄水供給機構としての洗浄タンク、洗浄水供給弁１ｄ等が設けられているとともに、制御手段としてのコントローラ１ｅが設けられている。また、ケース１ａの上端には第１人体検知手段としての第１人体検知センサ１ｂが設けられ、ケース１ａの下端には洋風便器本体９０上から便蓋３及び便座２が上げられていることにより剥き出しとなる第２人体検知手段としての第２人体検知センサ１ｃが設けられている。
【００３４】
また、この便器洗浄装置１では、便座２に使用者が着座しているか否かを検知する着座センサ１ｆが設けられている。また、ケース１ａ内には、便蓋３を便座２上で電動により開閉させ得る便蓋開閉機構１ｇ、便座２を洋風便器本体９０上で電動により開閉させ得る便座開閉機構１ｈ、便座２上に着座した使用者の局部に洗浄水や温風を供給可能な局部洗浄機構１ｉ等が設けられている。
【００３５】
便蓋開閉機構１ｇと便座開閉機構１ｈとは単一のモータと複数個のギア等により構成されている。便座開閉機構１ｈを構成するギアには光センサ等からなる便座開閉検知センサ１ｊが組み込まれ、この便座開閉検知センサ１ｊは洋風便器本体９０上から便座２が上げられているか否かを検知可能になっている。
【００３６】
さらに、図３にも示すように、ケース１ａ外には、コントローラ１ｅを遠隔操作可能なコードレスのリモコン４が設けられている。リモコン４は、洋風便器本体９０に少量の洗浄水を供給可能な小洗浄スイッチ４ａと、洋風便器本体９０に大量の洗浄水を供給可能な大洗浄スイッチ４ｂと、局部洗浄機構１ｉを作動させるための局部洗浄機構使用スイッチ４ｃと、洋風便器本体９０上で便座２を開閉する便座開閉スイッチ４ｄとを有している。
【００３７】
図２に示すように、第１人体検知センサ１ｂ、第２人体検知センサ１ｃ、着座センサ１ｆ及び便座開閉検知センサ１ｊはコントローラ１ｅに接続され、コントローラ１ｅは洗浄水供給弁１ｄ、局部洗浄機構１ｉ、便座開閉機構１ｈ及び便蓋開閉機構１ｇに接続されている。また、小洗浄スイッチ４ａの入力によるリモコン４の便器小洗浄信号と、大洗浄スイッチ４ｂの入力によるリモコン４の便器大洗浄信号と、局部洗浄機構使用スイッチ４ｃの入力によるリモコン９４の局部洗浄機構使用信号と、便座開閉スイッチ４ｄの入力によるリモコン４の便座開閉信号とは、第１人体検知センサ１ｂと同位置に設けられたコントローラ１ｅの受信部に受信されるようになっている。
【００３８】
この洋風水洗式便器では、使用していない状態から、用を足そうとする使用者が前に立つことにより、第１人体検知センサ１ｂがその使用者を検知し、便蓋開閉機構１ｇにより便蓋３が自動的に便座２から上げられる。
【００３９】
その使用者が男性であり、立ったまま小用する場合、その使用者はリモコン４の便座開閉スイッチ４ｄを入力する。これによりリモコン４は便座開閉信号をコントローラ１ｅに送信し、図１に示すように、コントローラ１ｅは便座開閉機構１ｈを作動させることにより便座３を自動的に洋風便器本体９０から上げる。こうして、使用者は腰を屈める必要なく、小用を行うことができる。
【００４０】
この際、図４に示すように、コントローラ１ｅは、ステップＳ１において、便蓋３及び便座２が上がっていることにより剥き出しとなった第２人体検知センサ１ｃにより、その使用者がその状態の洋風便器本体９０前に存在するか否かを検知する。また、ステップＳ２において、リモコン４からの各信号を受信し続ける。さらに、ステップＳ３において、便座開閉検知センサ１ｊからの便座状態信号を受信し続ける。
【００４１】
そして、ステップＳ４において、第２人体検知センサ１ｃによる検知時間がＡ以上であるか否かが判断される。この検知時間がＡ以上である場合には、男性が小用したと考えられるため、ステップＳ５に進む。
【００４２】
一方、ステップＳ４において、検知時間がＡ未満である場合には、使用者が立って小用もしていないと考えられるため、ステップＳ６に進む。ステップＳ６では、第１人体検知センサ１ｂにより使用者が洋風便器本体９０前に存在しないことが検知された後、メインルーチンにリターンする。
【００４３】
ステップＳ５においては、リモコン４からの便器小洗浄信号の入力がないことを条件とし、ステップＳ７に進む。ステップＳ７では、便座開閉検知センサ１ｊからの便座状態信号が便座２が閉じていることを示す便座閉信号であるか否か判断する。
【００４４】
ステップＳ７において、便座状態信号が便座閉信号でない場合、つまり洋風便器本体９０から便座２が上がった状態において、男性が立ったまま小用し、便座２をそのままの状態にしている場合、ステップＳ８において、第１人体検知センサ１ｂにより使用者が洋風便器本体９０前に存在しないことが検知された後、ステップＳ９で便器小洗浄モードを実行する。こうして使用者の退室時、洗浄水供給弁１ｄにより洋風便器本体９０に少量の洗浄水が自動的に供給される。この後、メインルーチンにリターンする。
【００４５】
そして、その使用者がリモコン４の便座開閉スイッチ４ｄを再度入力すれば、コントローラ１ｅは便座開閉機構１ｈを作動させることにより便座２を自動的に洋風便器本体９０上に降ろす。手動により便座２を洋風便器本体９０上に降ろすことも可能である。この後、使用者が洋風水洗式便器の前から去れば、第１人体検知センサ１ｂがその使用者を検知しなくなり、便蓋開閉機構１ｇにより便蓋３が自動的に便座２上に降ろされる。手動により便蓋３を便座２上に降ろすことも可能である。
【００４６】
ステップＳ５において、リモコン４からの便器小洗浄信号の入力があれば、ステップＳ９に進み、便器小洗浄信号を優先し、便器小洗浄モードを実行する。
【００４７】
ステップＳ７において、便座状態信号が便座閉信号である場合、つまり洋風便器本体９０から便座２が上がった状態において、男性が立ったまま小用した後、リモコン４の小洗浄スイッチ４ａの入力を行うことなく、かつリモコン４の便座開閉スイッチ４ｄを再度入力する等により、便座２を洋風便器本体９０上に降ろしてしまった場合、ステップＳ１０に進む。
【００４８】
ステップＳ１０では、着座センサ１ｆから使用者が便座２に着座したことを示す着座信号を受信する。そして、ステップＳ１１において、着座センサ１ｆによる着座時間がＢ以上であるか否かが判断される。この着座時間がＢ以上である場合には、使用者が小用、大用又は局部洗浄機構１ｉの使用をしたと考えられるため、図５に示すステップＳ１２に進む。
【００４９】
図４に示すステップＳ１１において、着座時間がＢ未満である場合には、使用者が大用及び局部洗浄機構１ｉの使用をしていないと考えられるため、ステップＳ１３において、リモコン４からの便器小洗浄信号の入力があるか否かが判断される。
【００５０】
ステップＳ１３において、便器小洗浄信号の入力があれば、使用者が小用をしていたことから、ステップＳ９に進み、便器小洗浄信号を優先し、便器小洗浄モードを実行する。
【００５１】
ステップＳ１３において、便器小洗浄信号の入力がなければ、ステップＳ８に進み、第１人体検知センサ１ｂにより使用者が洋風便器本体９０前に存在しないことが検知された後、ステップＳ９で便器小洗浄モードを実行する。この後、メインルーチンにリターンする。こうして、この便器洗浄装置では、男性が立ったまま小用した後、便座２を洋風便器本体９０上に降ろしても、洋風便器本体９０の洗浄忘れを防止することができる。
【００５２】
図５に示すステップＳ１２においては、局部洗浄機構使用信号が入力されたか否かが判断される。ここで、局部洗浄機構使用信号が入力されたのであれば、ステップＳ１４において、局部洗浄機構１ｉの使用時間がＣ以上であるか否かが判断される。ステップＳ１２において局部洗浄機構使用信号が入力されなかった場合には、ステップＳ１５に進む。ステップＳ１４において使用時間がＣ未満である場合には、図４に示すステップＳ９に進む。
【００５３】
図５に示すステップＳ１５において、便器小洗浄信号の入力があれば、ステップＳ１６に進み、着座センサ１ｆからの着座信号が検知されなくなった後、ステップＳ１７で便器小洗浄モードを実行する。この後、メインルーチンにリターンする。
【００５４】
ステップＳ１５において、便器小洗浄信号の入力がなければ、ステップＳ１８に進む。ステップＳ１８において、便器大洗浄信号の入力があれば、ステップＳ１９に進み、着座センサ１ｆからの着座信号が検知されなくなった後、ステップＳ２０で便器大洗浄モードを実行する。こうして、洗浄水供給弁１ｄにより洋風便器本体９０に大量の洗浄水が自動的に供給される。この後、メインルーチンにリターンする。
【００５５】
ステップＳ１８において、便器大洗浄信号の入力がなければ、図４に示すステップＳ９に進み、便器小洗浄モードを実行する。この後、メインルーチンにリターンする。
【００５６】
なお、上記実施形態では、洋風便器本体９０を洗浄するための洗浄タンクを内蔵する洋風水洗式便器に便器洗浄装置を具体化したが、図６に示すように、そのような洗浄タンクを内蔵せず、洗浄水供給弁が水道管に直結された洋風水洗式便器に本発明を具体化することも可能である。この場合、第１人体検出センサ１ｂは便蓋３のすぐ背後に設けられる。他の構成は上記実施形態と同様であり、同様の作用効果を奏することができる。
【図面の簡単な説明】
【図１】実施形態の便器洗浄装置を備えた洋風水洗式便器の側面図である。
【図２】実施形態の便器洗浄装置のブロック構成図である。
【図３】実施形態の便器洗浄装置におけるリモコンの平面図である。
【図４】実施形態の便器洗浄装置におけるコントローラのフローチャートである。
【図５】実施形態の便器洗浄装置におけるコントローラのフローチャートである。
【図６】変形形態の便器洗浄装置を備えた洋風水洗式便器の側面図である。
【図７】従来の便器洗浄装置を備えた洋風水洗式便器の側面図である。
【図８】従来の便器洗浄装置を備えた洋風水洗式便器の側面図である。
【図９】従来の便器洗浄装置におけるコントローラのフローチャートである。
【符号の説明】
２…便座
９０…洋風便器本体
１…便器洗浄装置
１ｄ…洗浄水供給機構（洗浄水供給弁）
１ｂ、１ｃ…人体検知手段（１ｂ…第１人体検知センサ、１ｃ…第１人体検知センサ）
１ｅ…制御手段（コントローラ）
１ｊ…便座開閉検知手段（便座開閉検知センサ）
１ｆ…着座検知手段（着座センサ）
４ａ、４ｂ…洗浄スイッチ（４ａ…小洗浄スイッチ、４ｂ…大洗浄スイッチ）
４…リモコン
１ｉ…局部洗浄機構
４ｃ…局部洗浄機構使用スイッチ
１ｈ…便座開閉機構
４ｄ…便座開閉スイッチ
３…便蓋
１ｇ…便蓋開閉機構
【図１】
0004118532.tif 000002
【図２】
0004118532.tif 000003
【図３】
0004118532.tif 000004
【図４】
0004118532.tif 000005
【図５】
0004118532.tif 000006
【図６】
0004118532.tif 000007
【図７】
0004118532.tif 000008
【図８】
0004118532.tif 000009
【図９】
0004118532.tif 000010